(57)【特許請求の範囲】
【請求項１】
給気用換気口に室内側から挿入される筒状の本体と、本体に対して軸芯方向移動可能に取り付けられ、軸芯方向への押圧操作の都度、給気路を開閉するように構成されたプッシュ式の蓋体とを備えた給気レジスターであって、本体の室内側端部に形成されたフランジ部を外広がりのラッパ状に形成する一方、蓋体の外周面部を前記ラッパ状のフランジ部に沿って傾斜した円錐状の傾斜面に形成して、給気された風の流れを給気用換気口周囲の内壁面から遠ざかる方向に案内するように構成し、前記蓋体を内面板と外面板との間に空洞を有する中空構造とし、内面板には空洞よりも小径の貫通孔を形成して、蓋体をヘルムホルツ型共鳴器に形成したことを特徴とする給気レジスター。
【請求項２】
空洞の内面に吸音材を貼り付けてあることを特徴とする請求項１に記載の給気レジスター。
【発明の詳細な説明】
【技術分野】
【０００１】
本発明は、給気用換気口に室内側から挿入される筒状の本体と、本体に対して軸芯方向移動可能に取り付けられ、軸芯方向への押圧操作の都度、給気路を開閉するように構成されたプッシュ式の蓋体とを備えた給気レジスターに関するものである。
【背景技術】
【０００２】
給気用換気口に室内側から挿入される筒状の本体と、本体に対して軸芯方向移動可能に取り付けられ、軸芯方向への押圧操作の都度、給気路を開閉するように構成されたプッシュ式の蓋体とを備えた給気レジスターは、特許文献１，２等によって知られている。この種の給気レジスターにおいては、図５に示すように、本体２を通過した外気が蓋体３の裏面外周部に当たって給気用換気口周囲の内壁面Ｗ側にはね返るので、外気に含まれている埃や油煙等が給気用換気口周囲の内壁面Ｗが汚れるという問題点がある。
【０００３】
このため、特許文献２では、本体の室内側端部に形成されるフランジ部に室内側へ突出した第１のリング状突起部を設け、蓋体の裏面外周部には第１のリング状突起部よりも小径で反室内方向へ突出した第２のリング状突起部を設けて、第１のリング状突起部と第２のリング状突起部を互いにオーバーラップさせ、外気の流れを第２のリング状突起部によって一旦反室内側に変えてから外気が第１のリング状突起部とを第２のリング状突起部との間に形成された隙間を通過するようにして、給気用換気口周囲の内壁面が汚れないようにすることが提案されている。
【０００４】
しかしながら、これによる場合は、給気される外気の流路がジグザグ状に屈曲するため空気抵抗が大きくて、風切り音が発生しやすいばかりでなく、通気量を確保し難いという問題点がある。また、流路の断面を大きくとって風量特性を向上させると、外部からの騒音も室内に侵入しやすくなり、逆に室内環境を悪化させる可能性がある。
【０００５】
【特許文献１】実用新案登録第３０５９３５６号公報
【特許文献２】実用新案登録第３００６１９９号公報
【発明の開示】
【発明が解決しようとする課題】
【０００６】
本発明は、従来の給気レジスターにおける上記の問題点を解決し、給気用換気口周囲の内壁面の汚れを防止でき、それでいて、給気される外気の流路が直線的であるため、空気抵抗が小さくて済み、風切り音が発生し難く且つ通気量を確保し易く、しかも、外部からの騒音侵入による室内環境の悪化を防止できる給気レジスターを提供するものである。
【課題を解決するための手段】
【０００７】
上記の目的を達成するために、本発明が講じた技術的手段は、次の通りである。即ち、請求項１に記載の発明による給気レジスターは、給気用換気口に室内側から挿入される筒状の本体と、本体に対して軸芯方向移動可能に取り付けられ、軸芯方向への押圧操作の都度、給気路を開閉するように構成されたプッシュ式の蓋体とを備えた給気レジスターであって、本体の室内側端部に形成されたフランジ部を外広がりのラッパ状に形成する一方、蓋体の外周面部を前記ラッパ状のフランジ部に沿って傾斜した円錐状の傾斜面に形成して、給気された風の流れを給気用換気口周囲の内壁面から遠ざかる方向に案内するように構成し、前記蓋体を内面板と外面板との間に空洞を有する中空構造とし、内面板には空洞よりも小径の貫通孔を形成して、蓋体をヘルムホルツ型共鳴器に形成したことを特徴としている。
【０００８】
請求項２に記載の発明による給気レジスターは、空洞の内面に吸音材を貼り付けてあることを特徴としている。
【発明の効果】
【０００９】
請求項１に記載の発明の構成によれば、本体の室内側端部に形成されたフランジ部を外広がりのラッパ状に形成する一方、蓋体の外周面部を前記ラッパ状のフランジ部に沿って傾斜した円錐状の傾斜面に形成して、給気された風の流れを給気用換気口周囲の内壁面から遠ざかる方向に案内するように構成したので、給気用換気口周囲の内壁面の汚れを防止できる。
【００１０】
それでいて、給気される外気の流路がラッパ状のフランジ部とそれに沿った円錐状の傾斜面とで形成された直線的な流路であるため、給気される外気の流路をジグザグ状に屈曲させて内壁面の汚れを防止する場合に比して空気抵抗が小さくて済み、風切り音が発生し難く、通気量を確保し易い。
【００１１】
しかも、上記の発明によれば、蓋体を内面板と外面板との間に空洞を有する中空構造とし、内面板には空洞よりも小径の貫通孔を形成して、蓋体をヘルムホルツ型共鳴器に形成したので、外気と一緒に侵入する外部の騒音は、ヘルムホルツ型共鳴器の原理で吸音されることになり、つまり、貫通孔の空気が音波の振動数に応じて振動し、空洞の内部の空気がスプリングのように収縮したり膨張したりする運動を繰り返すことによって減音され、外部からの騒音侵入による室内環境の悪化を防止できる。
【００１２】
殊に、請求項２に記載の発明の構成によれば、空洞の内面に吸音材を貼り付けてあるので、より一層高い吸音効果が得られることになる。
【発明を実施するための最良の形態】
【００１３】
図１、図２は、本発明に係る給気レジスターの一例を示す。この給気レジスターは、内壁面Ｗに設けられた給気用換気口１に室内側から挿入される筒状の本体２と、本体２に対して軸芯方向移動可能に取り付けられ、軸芯方向への押圧操作の都度、給気路を開閉するように構成されたプッシュ式の蓋体３とを備えている。４は本体２の中心部に設けられた筒軸であり、蓋体３の中心部に連設されたスライド軸５、リターンスプリング６等から成る既知のノック機構が内蔵されている。７は防虫用のスクリーンである。
【００１４】
前記本体２の室内側端部に形成されたフランジ部８は外広がりのラッパ状に形成されており、蓋体３の外周面部３ａは前記ラッパ状のフランジ部８に沿って傾斜した円錐状の傾斜面に形成されている。そして、蓋体３を室内側に移動させて、本体２のフランジ部８と蓋体３の外周面部３ａとの間に形成される流路ａを開放した際、給気された風の流れｂを、外広がりのラッパ状に形成されたフランジ部８とそれに沿った外周面部３ａの円錐状傾斜面とによって、給気用換気口１周囲の内壁面Ｗから遠ざかる方向に案内するように構成してある。
【００１５】
前記蓋体３は、内面板３ｂと外面板３ｃとの間に空洞９を有する中空構造とされ、内面板３ｂには空洞９よりも小径の貫通孔１０を形成して、蓋体３をヘルムホルツ型共鳴器に形成してある。
【００１６】
上記の構成によれば、本体２の室内側端部に形成されたフランジ部８を外広がりのラッパ状に形成する一方、蓋体３の外周面部３ａを前記ラッパ状のフランジ部８に沿って傾斜した円錐状の傾斜面に形成して、給気された風の流れｂを給気用換気口１周囲の内壁面Ｗから遠ざかる方向に案内するように構成したので、給気用換気口１周囲の内壁面Ｗの汚れ
を防止できる。
【００１７】
それでいて、給気される外気の流路ａがラッパ状のフランジ部８とそれに沿った円錐状の傾斜面とで形成された直線的な流路ａであるため、給気される外気の流路をジグザグ状に屈曲させて内壁面の汚れを防止する場合に比して空気抵抗が小さくて済み、風切り音が発生し難く、通気量を確保し易い。
【００１８】
殊に、蓋体３を内面板３ｂと外面板３ｃとの間に空洞９を有する中空構造とし、内面板３ｂには空洞９よりも小径の貫通孔１０を形成して、蓋体３をヘルムホルツ型共鳴器に形成したので、外気と一緒に侵入する外部の騒音は、ヘルムホルツ型共鳴器の原理で吸音されることになる。即ち、貫通孔１０の空気が音波の振動数に応じて振動し、空洞９の内部の空気がスプリングのように収縮したり膨張したりする運動を繰り返すことによって減音され、外部からの騒音侵入による室内環境の悪化を防止できる。
【００１９】
図３、図４は、他の実施形態を示し、空洞９の内面にグラスウール等の吸音材１１を貼り付けて、吸音効果を高めた点に特徴がある。その他の構成、作用は、図１、図２の実施形態と同じであるため、同一構成部材に同一符号を付し、説明を省略する。
【図面の簡単な説明】
【００２０】
【図１】本発明に係る給気レジスターの流路開状態における縦断側面図である。
【図２】上記給気レジスターの流路閉状態における縦断側面図である。
【図３】本発明の他の実施形態を示す給気レジスターの流路開状態における縦断側面図である。
【図４】上記給気レジスターの流路閉状態における縦断側面図である。
【図５】従来例の問題点を説明する縦断側面図である。
【符号の説明】
【００２１】
１  給気用換気口
２  本体
３  蓋体
３ａ  外周面部
３ｂ  内面板
３ｃ  外面板
８  フランジ部
９  空洞
１０  貫通孔
Ｗ  内壁面
ａ  流路
ｂ  風の流れ
【図１】
0004625403.tif 000002
【図２】
0004625403.tif 000003
【図３】
0004625403.tif 000004
【図４】
0004625403.tif 000005
【図５】
0004625403.tif 000006